(57)【要約】【課題】記録媒体の表面に形成された樹脂層に皺や「すじ」が表れることを防止して、高品位の樹脂層を形成できるラミネート装置を提供する。【解決手段】外装カバー５６のうち矢印Ａ方向上流側部分は、加熱定着ロール対５２よりも搬送方向上流側に配置されている。矢印Ａ方向上流側部分の端部５６ａは挿入口５８の真上に位置している。挿入口５８から挿入されているラミネート用部材１０はこの端部５６ａによって上方から押し下げられる。端部５６ａよりも搬送方向上流側に所定間隔離れた位置には、ラミネート用部材１０を搬送方向に案内するガイド部材７０が配置されている。ガイド部材７０には、挿入口５８の斜め上方から挿入口５８に向かって下がるように傾斜した案内板７２が形成されている。案内板７２の頂上部７２ａは、挿入口５８から挿入されているラミネート用部材１０をその下方から押し上げる。【選択図】    図２
2004174923.tif 000002
【特許請求の範囲】
【請求項１】
樹脂層が形成されたラミネートシートと矩形状の台紙とを有するラミネート用部材の前記ラミネートシートと前記台紙との間に記録媒体を挟み込んでこのラミネート用部材を一対の定着ローラで挟持しながら所定の搬送方向に搬送することにより、前記ラミネート部材に挟み込まれた記録媒体の表面に樹脂層を形成させるラミネート装置において、
前記定着ローラよりも前記搬送方向上流側に配置された、前記ラミネートシートを平滑にする平滑手段を備えたことを特徴とするラミネート装置。
【請求項２】
前記平滑手段は、
前記ラミネート用部材の上方からこのラミネート用部材を押し下げる押下部材と、
前記ラミネート用部材の下方からこのラミネート用部材を押し上げる、前記押下部材から所定間隔離れた押上部材とを備えたものであることを特徴とする請求項１に記載のラミネート装置。
【請求項３】
前記押下部材は、
前記ラミネート用部材の上面うち前記搬送方向に略直交する部分を押し下げるものであり、
前記押上部材は、
前記ラミネート用部材の下面のうち前記搬送方向に略直交する部分を押し上げるものであることを特徴とする請求項２に記載のラミネート装置。
【請求項４】
前記押下部材は、
前記ラミネート用部材の上面うち前記搬送方向に略直交する部分に接触してこの部分を押し下げる直線状の押下接触部が形成されたものであり、
前記押上部材は、
前記ラミネート用部材の下面のうち前記搬送方向に略直交する部分に接触してこの部分を押し上げる直線状の押上接触部が形成されたものであることを特徴とする請求項３に記載のラミネート装置。
【請求項５】
押下接触部と押上接触部とは互いに平行に配置されたものであることを特徴とする請求項４に記載のラミネート装置。
【請求項６】
前記押下部材は、
前記ラミネート用部材のうち前記搬送方向に略直交する部分の全域を押し下げるものであり、
前記押上部材は、
前記ラミネート用部材のうち前記搬送方向に略直交する部分の全域を押し上げるものであることを特徴とする請求項２から５までのうちのいずれか一項に記載のラミネート装置。
【発明の詳細な説明】
【０００１】
【発明の属する技術分野】
本発明は、記録媒体の表面に樹脂層を形成するためのラミネート装置に関する。
【０００２】
【従来の技術】
従来、インクジェット方式、電子写真法、及び、各種印刷法などによって、シート状の紙などの記録媒体に画像を形成することが広く行われている。記録媒体に形成された画像に表面光沢性が要求されたり、画像に耐光性、耐水性、耐薬品性などが要求されたりすることがある。このような場合、画像の形成された表面にオーバコート層（保護層）を形成することにより、上記の要求を満たしている。画像の形成された表面に保護層を形成する方法としては、この表面に透明ニスを塗布して乾燥させる方法や、この表面に透明樹脂層を転写する（形成する）方法などが知られている。透明樹脂層を形成する方法はラミネート方法と呼ばれ、透明ニスを塗布する方法よりも簡便な方法である。
【０００３】
従来のラミネート方法について説明する。
【０００４】
ラミネート方法では、ラミネート用部材を用いて記録媒体の表面に樹脂層を形成する。ラミネート用部材は、台紙とラミネートシートからなる。台紙は、一般に、一枚の紙である。ラミネートシートは、一般に、基材層、剥離層、及び透明熱可塑性樹脂層の順に積層された３層構造になっている。
【０００５】
記録媒体の表面に樹脂層を形成する際は、記録媒体の表面が上になるようにこの記録媒体を台紙に置き、記録媒体の表面に透明熱可塑性樹脂層が直接に接触するようにラミネートシートを置く。即ち、台紙とラミネートシートの間に記録媒体を挟み込むようにする。このようにして記録媒体が挟み込まれたラミネート用部材に熱と圧力を同時に作用させる。これにより、透明熱可塑性樹脂層が溶けて（若しくは軟化して）記録媒体の表面に樹脂層が形成され、この樹脂層によって画像が保護されることとなる。
【０００６】
記録媒体が挟み込まれたラミネート用部材に熱と圧力を同時に作用させる際には、ラミネート装置が使用される。このラミネート装置には、記録媒体が挟み込まれたラミネート用部材を挟持しながら搬送してこのラミネート用部材に熱と圧力を同時に作用させる定着ローラが備えられている。
【０００７】
【発明が解決しようとする課題】
ところが、ラミネート用部材を定着ローラで挟持して搬送しながら加熱する際に、ラミネートシートが熱膨張して、ラミネートシートのうち定着ローラよりも搬送方向上流側部分が波打つことがある。この波打ちは、搬送方向上流側に向かうほど大きくなる。このように波打った部分を定着ローラで挟持して加熱した場合、波打った部分に皺が発生して、記録媒体の表面に形成された樹脂層に「すじ」が表れることがある。
【０００８】
また、定着ローラからの熱をラミネートシートに効率良く伝導するために、薄いラミネートシートを用いることがある。このような薄いラミネートシートを用いた場合は、上記の「すじ」がいっそう発生し易い。
【０００９】
本発明は、上記事情に鑑み、記録媒体の表面に形成された樹脂層に皺や「すじ」が表れることを防止して、高品位の樹脂層を形成できるラミネート装置を提供することを目的とする。
【００１０】
【課題を解決するための手段】
上記目的を達成するための本発明のラミネート装置は、樹脂層が形成されたラミネートシートと矩形状の台紙とを有するラミネート用部材の前記ラミネートシートと前記台紙との間に記録媒体を挟み込んでこのラミネート用部材を一対の定着ローラで挟持しながら所定の搬送方向に搬送することにより、前記ラミネート部材に挟み込まれた記録媒体の表面に樹脂層を形成させるラミネート装置において、
（１）前記定着ローラよりも前記搬送方向上流側に配置された、前記ラミネートシートを平滑にする平滑手段を備えたことを特徴とするものである。
【００１１】
ここで、
（２）前記平滑手段は、
（２−１）前記ラミネート用部材の上方からこのラミネート用部材を押し下げる押下部材と、
（２―２）前記ラミネート用部材の下方からこのラミネート用部材を押し上げる、前記押下部材から所定間隔離れた押上部材とを備えたものであってもよい。
【００１２】
また、
（３）前記押下部材は、前記ラミネート用部材の上面うち前記搬送方向に略直交する部分を押し下げるものであり、
（４）前記押上部材は、前記ラミネート用部材の下面のうち前記搬送方向に略直交する部分を押し上げるものであってもよい。
【００１３】
さらに、
（５）前記押下部材は、前記ラミネート用部材の上面うち前記搬送方向に略直交する部分に接触してこの部分を押し下げる直線状の押下接触部が形成されたものであり、
（６）前記押上部材は、前記ラミネート用部材の下面のうち前記搬送方向に略直交する部分に接触してこの部分を押し上げる直線状の押上接触部が形成されたものであってもよい。
【００１４】
さらにまた、
（７）押下接触部と押上接触部とは互いに平行に配置されたものであってもよい。
【００１５】
さらにまた、
（８）前記押下部材は、前記ラミネート用部材のうち前記搬送方向に略直交する部分の全域を押し下げるものであり、
（９）前記押上部材は、前記ラミネート用部材のうち前記搬送方向に略直交する部分の全域を押し上げるものであってもよい。
【００１６】
【発明の実施の形態】
図面を参照して本発明のラミネート装置の実施形態を説明する。
【００１７】
先ず、図１を参照してラミネート用部材を説明する。
【００１８】
図１（ａ）は、ラミネート用部材を示す斜視図であり、（ｂ）は、平面図であり、（ｃ）は、ラミネートシートの一部断面図である。
【００１９】
ラミネート用部材１０は、矩形の台紙２０と、この台紙２０よりも一回り小さい矩形のラミネートシート３０とから構成されている。台紙２０には４つの辺が形成されており、そのうちの１つの辺の近傍部分２０ａは折り曲げられている。この折り曲げられた部分にラミネートシート３０の一辺部分が圧着されて（若しくは接着剤で接着されて）固定されている。この台紙２０とラミネートシート３０の間に画像シート（記録媒体）４０が挟み込まれる。
【００２０】
ラミネートシート３０は３層構造になっている。図１（ｃ）に示すように、一番下の層は透明な熱可塑性樹脂層３２であり、その上の層は剥離層３４であり、一番上の層は耐熱性の基材層３６である。これら３層の幅と長さは同じである。熱可塑性樹脂層３２は台紙２０に向き合っている。つまり、熱可塑性樹脂層３２の両面のうちこの熱可塑性樹脂層３２を挟んで台紙２０とは反対側の片面が剥離層３４で覆われている。この剥離層３４の上面は基材層３６で覆われている。
【００２１】
上述したように、台紙２０はラミネートシート３０よりも一回り大きいので、熱可塑性樹脂層３２が溶ける（若しくは軟化する）ときに熱可塑性樹脂が定着ローラ（後述する）に付着しない。
【００２２】
上記した台紙２０としては、通常、各種の紙が使用される。台紙２０としては、耐熱性であればプラスチックフィルムであってもよい。台紙２０の厚みに関しては、取り扱い性が適切な程度の厚みであればよく、特に限定されない。また、台紙２０のサイズは、通常の記録媒体（画像シート）４０がＡ判またはＢ判の各サイズであるので、画像シート４０よりもひと回り（例えば５〜１０ｍｍ程度）ほど長さ及び幅において大きいサイズであることが好ましい。
【００２３】
ラミネートシート３０は、台紙２０の１辺においてこの台紙２０に固定されており、他辺は固定されずフリーの状態である。従って、ラミネートシート３０は容易にめくれ上げられるようになっている。ラミネートシート３０をめくり上げて、台紙２０とラミネートシート３０との間に画像シート４０を挟み込む（挿入する）。
【００２４】
ラミネートシート３０は、ポリエチレンテフタレート（ＰＥＴ）、ポリプロピレン、ポリイミド、ポリカーボネートなどのような耐熱性樹脂のフィルムまたはシート（以下まとめてシートといい、基材層３６である）の面に剥離層３４を介して熱可塑性樹脂層３２が形成されている。
【００２５】
剥離層３４は、例えばシリコーンオイル、シリコーン樹脂、燐酸エステル系界面活性剤、ワックス、フッ素樹脂などの離型性の良好な材料もしくは樹脂から形成されている。剥離層３４の厚さは０．０１μｍ〜５．０μｍ程度で十分である。
【００２６】
熱可塑性樹脂層３２は、加熱によって接着性を発揮する樹脂、すなわちヒートシール性を有する樹脂、例えば、ポリエステル樹脂、ポリエチレン樹脂、アクリル樹脂、塩化ビニル樹脂、ポリウレタン樹脂、エチレン・酢酸ビニル共重合樹脂、エチレン・塩化ビニル共重合樹脂などから形成されている。
【００２７】
熱可塑性樹脂層３２の厚さは、画像シート４０に要求される耐久性によって異なるが、通常１．０μｍ〜５０μｍ程度である。これらの熱可塑性樹脂層３２には、紫外線吸収剤、帯電防止剤、耐光化剤、蛍光増白剤、艶消剤などの任意の添加物を添加できる。例えば、艶消剤の添加によって、最終的に得られる画像の表面光沢を調整できる。なお、熱可塑性樹脂層３２を耐熱性基材３６とは必ずしも同一面積である必要はなく、熱可塑性樹脂層３２の面積が耐熱性基材３６および台紙２０の面積よりも小さければよい。
【００２８】
なお、上述したように台紙２０とラミネートシート３０は、通常、矩形であり、図１（ａ），（ｂ）に示されるように、その一辺において結合されている。この結合は両者を接着するなど、任意の結合方法で良く、特に限定されない
【００２９】
図２、図３、及び図４を参照してラミネート装置を説明する。
【００３０】
図２は、ラミネート装置の概略構成を示す模式図である。図３は、図２のラミネート装置を示す斜視図である。図４は、図２のラミネート装置の挿入口近傍を示す拡大図である。
【００３１】
ラミネート装置５０は、ラミネート用部材１０を加熱しながら定着する加熱定着ロール対５２（本発明にいう定着ローラの一例である）と、この加熱定着ロール対５２を通過したラミネート用部材１０のカール取りなども含めてこのラミネート用部材１０をバックアップするバックアップロール５４を備えている。また、ラミネート装置５０は、加熱定着ロール対５２とバックアップロール５４を覆う外装カバー５６も備えている。台紙２０とラミネートシート３０の間に画像シート（記録媒体）４０が挟み込まれたラミネート用部材１０は、矢印Ａ方向（搬送方向）から外装カバー５６の内部（ラミネート装置５０の内部）に搬送される。
【００３２】
外装カバー５６のうち矢印Ａ方向上流側部分には、ラミネート用部材１０が挿入される挿入口５８が形成されている。また、外装カバー５６のうち矢印Ａ方向下流側部分には、表面に樹脂層が形成された画像シート４０等が排出される排出口６０が形成されている。
【００３３】
外装カバー５６のうち矢印Ａ方向上流側部分は、加熱定着ロール対５２よりも搬送方向上流側に配置されている。この矢印Ａ方向上流側部分の端部５６ａ（本発明にいう押下部材の一例である）は挿入口５８の真上に位置している。挿入口５８から挿入されているラミネート用部材１０はこの端部５６ａによって上方から押し下げられる。
【００３４】
端部５６ａの長さ（図２の紙面に垂直な方向の長さ）は、挿入口５８の幅（図２の紙面に垂直な方向の長さ）よりもやや長い。また、端部５６ａは、矢印Ａ方向（搬送方向）に直交して延びている直線状のものである。従って、ラミネート用部材１０の上面（基材層３６の上面に相当する）のうち搬送方向に直交する部分の全域が端部５６ａに接触して押し下げられる。
【００３５】
端部５６ａよりも搬送方向上流側に所定間隔離れた位置には、ラミネート用部材１０を搬送方向に案内するガイド部材７０が配置されている。このガイド部材７０には、挿入口５８の斜め上方から挿入口５８に向かって下がるように傾斜した案内板７２が形成されている。この案内板７２の頂上部７２ａは、挿入口５８から挿入されているラミネート用部材１０をその下方から押し上げる。
【００３６】
頂上部７２ａの長さ（図２の紙面に垂直な方向の長さ）は、挿入口５８の幅（図２の紙面に垂直な方向の長さ）よりもやや長い。また、頂上部７２ａは、矢印Ａ方向（搬送方向）に直交して延びている直線状のものである。従って、ラミネート用部材１０の下面（台紙２０の下面に相当する）のうち搬送方向に直交する部分の全域が頂上部７２ａに接触して押し上げられる。また、端部５６ａと頂上部７２ａは互いに平行に延びている。なお、端部５６ａは、加熱定着ロール対５２のニップ部（ラミネート用部材１０を挟持する部分）よりもやや高い位置に形成されている。また、頂上部７２ａは、端部５６ａよりも高い位置に形成されている。
【００３７】
図５と図６を参照して、ラミネート装置５０を使用して画像シート４０の表面に樹脂層を形成するラミネート方法を説明する。
【００３８】
図５は、ラミネート用部材に画像シートを挟み込む様子を示す斜視図である。図６は、画像シートが挟み込まれたラミネート用部材が加熱定着ロール対５２に挟持されながら搬送されている様子を示す斜視図である。これらの図では、図１と図２に示された構成要素と同一の構成要素には同一の符号が付されている。
【００３９】
ラミネート用部材１０に画像シート４０を挟み込む際は、図５に示すように、ラミネートシート３０を台紙２０からめくり上げて、これらの間に画像シート４０を差し込む。このようにして画像シート４０が挟み込まれたラミネート用部材１０を挿入口５８（図２参照）に挿入する。挿入口５８に挿入されたラミネート用部材１０は、図６に示すように、その搬送方向下流側部分から順次に加熱定着ロール対５２に挟持されながら搬送される。
【００４０】
ところで、ラミネートシート３０の熱可塑性樹脂層３２が画像シート４０よりも大サイズ（例えば、各辺ともに１〜１０ｍｍ幅大きく）に形成されているので、画像シート４０をラミネート用部材１０に挟み込む際、ラミネートシート３０と画像シート４０とを正確に位置合わせする必要はなく、ある程度ラフに挟み込んでも問題はない。また、ラミネータ装置５０の挿入口５８に挿入する際、結合部２０ａから挿入するので、ラミネートシート３０の先端が上方にカールして耳折れが発生することなどは無い。
【００４１】
上記のようにしてラミネート用部材１０が加熱定着ロール対５２に挟持されながら搬送される際に、熱可塑性樹脂層３２が加熱定着ロール対５２及びバックアップロール対５４を通過することにより、ラミネータ装置５０による加熱加圧によって熱可塑性樹脂層３２が溶融または軟化して画像シート４０の表面に樹脂層が接着する。この結果、画像シート４０の表面に樹脂層が形成されることとなる。表面に樹脂層が形成された画像シート４０はラミネート用部材１０と共に排出口６０から排出される。この排出された画像シート４０から台紙２０や基材層３６などを剥離する。
【００４２】
ところで、加熱定着ロール対５２には例えば１００℃以上の高熱が与えられている。このため、加熱定着ロール対５２がラミネート用部材１０を挟持しながら搬送する際には、瞬時的にしてラミネートシート３０には熱が加わり、熱膨張が始まる。この熱膨張に起因して、ラミネートシート３０のうち加熱定着ロール対５２に挟持されている部分の近傍では，図６に示すように、小さい波打ち３０ａが多く発生する。この波打ちは、搬送方向上流側へ行くほど次第に大きくなる。ラミネート用部材１０が加熱定着ロール対５２によって徐々に加熱定着されて搬送されるので、この波打った部分を放置しておく場合、ラミネート用部材１０のうち搬送方向上流側で大きく波打った部分が定着され始めて、この結果、画像シート４０の表面の樹脂層に皺（定着皺）が発生する。
【００４３】
しかし、ラミネート装置５０には、上述したように、端部５６ａと頂上部７２ａが形成されており、頂上部７２ａと加熱定着ロール対５２のニップ部を結んだラインよりも端部５６ａが下方にあり、ラミネート用部材１０は頂上部７２ａと端部５６ａによって直線状に上下より押えられるので強制的にしごかれる。ラミネート用部材１０の上面（基材層３６の上面に相当する）のうち搬送方向に直交する部分の全域が端部５６ａに接触して押し下げられると共に、ラミネート用部材１０の下面（台紙２０の下面に相当する）のうち搬送方向に直交する部分の全域が頂上部７２ａに接触して押し上げられる。この結果、ラミネートシート３０に波打ちが発生したとしても、端部５６ａと頂上部７２ａによってラミネートシート３０に平滑な接触で無理ないテンションが与えられると同時にラミネートシート３０と画像シート４０と台紙２０とがほぼ密着して、定着の際にラミネートシート３０の波打ちに起因する皺の発生が抑えられる。従って、画像シート４０の表面に高品位の樹脂層が形成される。
【００４４】
図７と図８を参照して、ラミネート装置の他の例を説明する。
【００４５】
図７は、他の例のラミネート装置の概略構成を示す模式図である。図８は、図７のラミネート装置の挿入口近傍を示す拡大図である。これらの図では、図２と図４に示された構成要素と同一の構成要素には同一の符号が付されている。
【００４６】
このラミネート装置８０では、外装カバー５６の端部５６ａよりも搬送方向下流側であって加熱定着ロール対５２よりも搬送方向上流側に、案内板７２の頂上部７２ａとは異なる頂上部８２ａが形成されている。この頂上部８２ａは、端部５６ａ及び加熱定着ロール対５２のニップ部（ラミネート用部材１０を挟持する部分）よりも高い位置に形成されている。また、頂上部８２ａの長さ（図７の紙面に垂直な方向の長さ）は、挿入口５８の幅（図２の紙面に垂直な方向の長さ）よりもやや長い。また、頂上部８２ａは、矢印Ａ方向（搬送方向）に直交して延びている直線状のものである。従って、ラミネート用部材１０の下面（台紙２０の下面に相当する）のうち搬送方向に直交する部分の全域が頂上部８２ａに接触して押し上げられる。また、端部５６ａと頂上部８２ａは互いに平行に延びている。
【００４７】
上記のように頂上部７２ａに代えて頂上部８２ａを形成したラミネート装置８０でも、ラミネート装置５０と同様に、ラミネートシート３０の波打ちに起因する皺の発生が抑えられる。従って、画像シート４０の表面に高品位の樹脂層が形成される。
【００４８】
端部５６ａ、頂上部７２ａ、及び頂上部８２ａの形状は、エッジのような鋭利な角部から大きな曲率を有する湾曲部までを含む。このため、端部５６ａ、頂上部７２ａ、及び頂上部８２ａのように固定されたものでなく、ローラやコロなどの回転体のものであってもよい。
【００４９】
また、上述したように端部５６ａと頂上部７２ａ（頂上部８２ａ）を互いに平行に配置しておくことにより、これらがラミネート用部材１０に局部的に片当たりせず、いっそう確実にテンションを与えられるようになる。さらには、ラミネート用部材１０の上面と下面ともに、搬送方向に略直交した表面全域に接しながら搬送することにより、上記と同じくラミネート用部材１０に局部的に片当たりせず、いっそう確実なテンションを与えられるようになり、精度良いラミネート転写が行なえる。
【００５０】
【発明の効果】
以上説明したように本発明のラミネート装置によれば、定着ローラで挟持されながら搬送されているラミネート用部材のラミネートシートのうち定着ローラよりも搬送方向上流側の部分が熱で膨張して波打っても、この波打った部分が平滑手段によって平滑にされる。従って、記録媒体の表面に形成された樹脂層に皺やすじが表れることは無い。この結果、記録媒体の表面に高品位の樹脂層を形成できる。
【００５１】
ここで、前記平滑手段は、前記ラミネート用部材の上方からこのラミネート用部材を押し下げる押下部材と、前記ラミネート用部材の下方からこのラミネート用部材を押し上げる、前記押下部材から所定間隔離れた押上部材とを備えたものである場合は、記録媒体の表面に高品位の樹脂層を簡易な構成によって形成できる。
【００５２】
また、前記押下部材は、前記ラミネート用部材の上面うち前記搬送方向に略直交する部分を押し下げるものであり、前記押上部材は、前記ラミネート用部材の下面のうち前記搬送方向に略直交する部分を押し上げるものである場合は、ラミネートシートの波打った部分をいっそう確実に平滑にできるので、記録媒体の表面に形成された樹脂層に皺やすじが表れることをいっそう確実に防止できる。この結果、記録媒体の表面に高品位の樹脂層をいっそう確実に形成できる。
【００５３】
さらに、前記押下部材は、前記ラミネート用部材の上面うち前記搬送方向に略直交する部分に接触してこの部分を押し下げる直線状の押下接触部が形成されたものであり、前記押上部材は、前記ラミネート用部材の下面のうち前記搬送方向に略直交する部分に接触してこの部分を押し上げる直線状の押上接触部が形成されたものである場合は、ラミネート用部材には直線状の押下接触部と直線状の押上接触部のみが接触するので、搬送抵抗を減少できる。
【００５４】
さらにまた、押下接触部と押上接触部とは互いに平行に配置されたものである場合は、搬送中のラミネート用部材が曲がることなく円滑に搬送される。
【００５５】
さらにまた、前記押下部材は、前記ラミネート用部材のうち前記搬送方向に略直交する部分の全域を押し下げるものであり、前記押上部材は、前記ラミネート用部材のうち前記搬送方向に略直交する部分の全域を押し上げるものである場合は、上記した全域が押し上げられると共に押し下げられるので、ラミネートシートの波打った部分をさらにいっそう確実に平滑にできる。
【図面の簡単な説明】
【図１】（ａ）は、ラミネート用部材を示す斜視図であり、（ｂ）は、平面図であり、（ｃ）は、ラミネートシートの一部断面図である。
【図２】ラミネート装置の概略構成を示す模式図である。
【図３】図２のラミネート装置を示す斜視図である。
【図４】図２のラミネート装置の挿入口近傍を示す拡大図である。
【図５】ラミネート用部材に画像シートを挟み込む様子を示す斜視図である。
【図６】画像シートが挟み込まれたラミネート用部材が加熱定着ロール対５２に挟持されながら搬送されている様子を示す斜視図である。
【図７】他の例のラミネート装置の概略構成を示す模式図である。
【図８】図７のラミネート装置の挿入口近傍を示す拡大図である。
【符号の説明】
１０  ラミネート用部材
２０  台紙
３０  ラミネートシート
４０  画像シート
５０，８０  ラミネート装置
５２  加熱定着ロール対
５６  外装カバー
５６ａ  端部
７２ａ，８２ａ  頂上部
【図１】
2004174923.tif 000003
【図２】
2004174923.tif 000004
【図３】
2004174923.tif 000005
【図４】
2004174923.tif 000006
【図５】
2004174923.tif 000007
【図６】
2004174923.tif 000008
【図７】
2004174923.tif 000009
【図８】
2004174923.tif 000010